(57)【要約】  収容箱（１０）は、所定形状のシート体を正面部（１２）、背面部（１３）、平面部（１４）、底面部（１５）、右側面部（１６）及び左側面部（１７）からなる直方体形状に折り曲げて形成される。組み立て時において、正面部（１２）を覆う正面シート（２２）の下部には、正面下方折り曲げシート（２８）の下一部であって開封時にミシン目（４１）を介して切り離す除去部分（２７）が固定される。又、除去部分（２７）の左側縁は正面シート（２２）の左側縁に重なる。更に、左側面部（１７）を覆う左側面上方折り曲げシート（３５）の前縁には、特定前縁（５８）が半長円形に切り欠かれている。そのため、特定前縁（５８）は正面シート（２２）の左側縁の位置から後方に離れている。これにより、除去部分（２７）の左側縁と特定前縁（５８）との間にスペースが確保されるため、除去部分（２７）の開封にあたって、その左側縁の掴みが容易となる。
2018168893.tif 000002
【特許請求の範囲】
【請求項１】
所定形状に展開されたシート体（１１）を、正面部（１２）、背面部（１３）、平面部（１４）、底面部（１５）、一方側面部（１７）及び他方側面部（１６）からなる直方体形状に折り曲げて形成される収容箱（１０）であって、
前記正面部は、一方方向から他方方向にかけて切断自在の切り取り線（４１）を境界として残存部分（２６）と除去部分（２７）とに分けられ、
前記除去部分は、前記切り取り線を切断することによって除去することができ、
前記除去部分の一方側縁（４７）の少なくとも一部は前記正面部の一方側縁（４２）に重なるように配置され、
前記一方側面部の前縁（４８）は、前記除去部分の一方側縁の前記一部に対応する位置の少なくとも一部（５８、６８、７８）において、前記正面部の一方側縁の位置から後方に離れて配置される、収容箱。
【請求項２】
所定形状に展開されたシート体（１１）を、正面部（１２）、背面部（１３）、平面部（１４）、底面部（１５）、右側面部（１６）及び左側面部（１７）からなる直方体形状に折り曲げて形成される収容箱（１０）であって、
前記正面部を覆う正面シート（２２）と、
前記正面シートの左側縁（４２）に折り曲げ自在に接続され、少なくとも前記左側面部の一部を覆う左側面後方折り曲げシート（３２）と、
前記正面シートの下縁（５２）に折り曲げ自在に接続され、前記底面部を覆う底面シート（２５）と、
前記底面シートの左側縁（４５）に折り曲げ自在に接続され、少なくとも前記左側面後方折り曲げシートの外面に固定される左側面上方折り曲げシート（３５）と、
前記底面シートの後縁（５５）に折り曲げ自在に接続され、前記背面部を覆う背面シート（２３）と、
前記背面シートの左側縁（４３）に折り曲げ自在に接続され、少なくとも前記左側面上方折り曲げシートの内面に固定される左側面前方折り曲げシート（３３）と、
前記背面シートの上縁（５３）に折り曲げ自在に接続され、前記平面部を覆う平面シート（２４）と、
前記平面シートの前縁（５４）に折り曲げ自在に接続され、前記正面シートの少なくとも一部を覆う正面下方折り曲げシート（２８）と、
前記平面シートの左側縁（４４）に折り曲げ自在に接続され、少なくとも前記左側面上方折り曲げシートの外面の上部を覆う左側面下方折り曲げシート（３４）とを備え、
前記正面下方折り曲げシートは、前記平面シートの前縁に平行に形成された切断自在のミシン目（４１）を境界として上方の残存部分（２６）と下方の除去部分（２７）とに分けられると共に前記除去部分の一部は前記正面シートに固定され、
更に、前記残存部分は前記左側面下方折り曲げシートに接続され、
前記除去部分の左側縁（４７）の少なくとも一部は前記正面シートの左側縁に重なるように配置され、
前記左側面上方折り曲げシートの前縁（４８）であって前記左側面下方折り曲げシートから露出している特定前縁（５８、６８、７８）は、前記除去部分の左側縁の前記一部に対応する位置の少なくとも一部において、前記正面シートの左側縁の位置から後方に離れて配置される、収容箱。
【請求項３】
前記特定前縁は、前記底面シートとの接続部（５６、６６）において前記正面シートの左側縁に整列すると共にその上方において前記正面シートの左側縁の位置から後方に離れる、請求項２記載の収容箱。
【請求項４】
前記特定前縁は、前記左側面上方折り曲げシートの前縁を半長円形に切り欠くことによって形成される、請求項３記載の収容箱。
【請求項５】
前記除去部分は、前記ミシン目に平行に形成された切断自在の第２のミシン目（７１）を境界として上方の除去片（７６）と下方の残存片（７７）とに分けられると共に前記残存片の一部は前記正面シートに固定され、
前記特定前縁は、前記除去片の左側縁（７３）に対応する位置に配置される、請求項２から請求項４のいずれかに記載の収容箱。
【請求項６】
前記収容箱を左右反転して構成される、請求項２から請求項５のいずれかに記載の収容箱。
【発明の詳細な説明】
【技術分野】
【０００１】
この発明は収容箱に関し、特にアルミホイル等のシート体を巻き取った巻回物等を収容するために用いられる収容箱に関するものである。
【背景技術】
【０００２】
従来から、箱の一部に設けられたミシン目に沿って、特定部分を切り離すことで、箱を開封するタイプの収容箱が存在している。【０００３】
図７は、日本国特開２０１５−１９９５０７号公報で開示された従来の包装箱の外観形状を示す概略斜視図であり、図８は、図７で示した包装箱の展開図であり、図９は、図７で示した包装箱の開封工程を示す概略斜視図であり、図１０は、図７で示した包装箱の使用状態を示す概略斜視図である。【０００４】
図７を参照して、従来の包装箱９０は、図８のように所定形状に展開された紙ブランク等からなるシート体９１を、正面部９２、背面部９３、平面部９４、底面部９５、右側面部９６及び左側面部９７からなる直方体形状に折り曲げて形成され、その中には図１０に示すようなアルミホイル等のシート１３１を巻き取ったものである捲回ロール１３０を収容するものである。【０００５】
又、図７〜図１０を参照して、懸垂板１０６の内側には、金属等でできた長手方向に延びる切断刃１２０が、懸垂板１０６の先端から切断刃１２０の先端が突出するように取り付けられている。懸垂板１０６の内側に取り付けられた切断刃１２０の先端は、未開封の状態では、開封板１０７によって覆われる。開封板１０７の一部は前面板１０２の下部の一部に接着剤で固定されている。【０００６】
包装箱９０の開封に際しては、図９及び図１０を参照して、開封板１０７の左側縁１４７を掴んで、ミシン目１２１に沿って開封板１０７を接着固定に抗して切り離す。すると、包装箱９０が開封されると共に、切断刃１２０の先端が露出する。次に、上面板１０４を背面板１０３の上縁１２３を軸にして背面部９３の方向に回動し、包装箱９０を開く。すると、包装箱９０の内側に収容されている捲回ロール１３０が露出するので、捲回ロール１３０を回転させてアルミホイル等のシート１３１を所望の長さ引き出す。その後、上面板１０４を元の平面部９４の位置に戻した上で押し下げることで、懸垂板１０６がそれに伴って下がり、図１０のように所望の長さに引き出したシート１３１に切断刃１２０の先端を当てることで切断が可能となる。このように開封板１０７を設けることで、開封直前まで切断刃１２０を露出させずにおくことができると共に、又、開封板１０７を切り離すことで、容易に包装箱９０を開封することができる。
【先行技術文献】
【特許文献】
【０００７】
【特許文献１】日本国特開２０１５−１９９５０７号公報
【０００８】
上記のような従来の包装箱９０では、開封時において開封板１０７が掴みにくい場合がある。【０００９】
図１１は、図７で示した包装箱の左部分拡大斜視図であり、図１２は、図１１で示したＸＩＩ−ＸＩＩラインの拡大端面図である。【００１０】
これらの図を参照して、上記のような従来の包装箱９０において、開封板１０７の左側縁１４７は、前面板１０２の左側縁１４２に重なるように配置され、又、側面板１１５の前縁１４８は、前面板１０２の左側縁１４２に整列するように配置されている。そのため、開封板１０７の左側縁１４７と側面板１１５の前縁１４８とは、ほぼ隣接する位置関係となる。したがって、包装箱９０を開封する際に開封板１０７の左側縁１４７を掴もうとすると、指をあてがうスペースがほとんどなく、開封板１０７が掴みにくいものとなっていた。【００１１】
この発明は、上記のような課題を解決するためになされたもので、除去部分（開封板）が掴みやすく開封作業が容易となる収容箱を提供することを目的とする。
【発明の開示】
【００１２】
上記の目的を達成するために、この発明の第１の局面における収容箱は、所定形状に展開されたシート体を、正面部、背面部、平面部、底面部、一方側面部及び他方側面部からなる直方体形状に折り曲げて形成される収容箱であって、正面部は、一方方向から他方方向にかけて切断自在の切り取り線を境界として残存部分と除去部分とに分けられ、除去部分は、切り取り線を切断することによって除去することができ、除去部分の一方側縁の少なくとも一部は正面部の一方側縁に重なるように配置され、一方側面部の前縁は、除去部分の一方側縁の一部に対応する位置の少なくとも一部において、正面部の一方側縁の位置から後方に離れて配置されるものである。
【００１３】
このように構成すると、除去部分の一方側縁の少なくとも一部と一方側面部の前縁との間にスペースが確保される。
【００１４】
この発明の第２の局面における収容箱は、所定形状に展開されたシート体を、正面部、背面部、平面部、底面部、右側面部及び左側面部からなる直方体形状に折り曲げて形成される収容箱であって、正面部を覆う正面シートと、正面シートの左側縁に折り曲げ自在に接続され、少なくとも左側面部の一部を覆う左側面後方折り曲げシートと、正面シートの下縁に折り曲げ自在に接続され、底面部を覆う底面シートと、底面シートの左側縁に折り曲げ自在に接続され、少なくとも左側面後方折り曲げシートの外面に固定される左側面上方折り曲げシートと、底面シートの後縁に折り曲げ自在に接続され、背面部を覆う背面シートと、背面シートの左側縁に折り曲げ自在に接続され、少なくとも左側面上方折り曲げシートの内面に固定される左側面前方折り曲げシートと、背面シートの上縁に折り曲げ自在に接続され、平面部を覆う平面シートと、平面シートの前縁に折り曲げ自在に接続され、正面シートの少なくとも一部を覆う正面下方折り曲げシートと、平面シートの左側縁に折り曲げ自在に接続され、少なくとも左側面上方折り曲げシートの外面の上部を覆う左側面下方折り曲げシートとを備え、正面下方折り曲げシートは、平面シートの前縁に平行に形成された切断自在のミシン目を境界として上方の残存部分と下方の除去部分とに分けられると共に除去部分の一部は正面シートに固定され、更に、残存部分は左側面下方折り曲げシートに接続され、除去部分の左側縁の少なくとも一部は正面シートの左側縁に重なるように配置され、左側面上方折り曲げシートの前縁であって左側面下方折り曲げシートから露出している特定前縁は、除去部分の左側縁の一部に対応する位置の少なくとも一部において、正面シートの左側縁の位置から後方に離れて配置されるものである。
【００１５】
このように構成すると、除去部分の左側縁の少なくとも一部と特定前縁との間にスペースが確保される。
【００１６】
この発明の第３の局面における収容箱は、第２の局面における発明の構成において、特定前縁は、底面シートとの接続部において正面シートの左側縁に整列すると共にその上方において正面シートの左側縁の位置から後方に離れるものである。
【００１７】
このように構成すると、接続部における左側面上方折り曲げシートの接続強度が確保される。
【００１８】
この発明の第４の局面における収容箱は、第３の局面における発明の構成において、特定前縁は、左側面上方折り曲げシートの前縁を半長円形に切り欠くことによって形成されるものである。
【００１９】
このように構成すると、除去部分の左側縁と特定前縁との距離が安定する。
【００２０】
この発明の第５の局面における収容箱は、第２の局面から第４の局面のいずれかにおける発明の構成において、除去部分は、ミシン目に平行に形成された切断自在の第２のミシン目を境界として上方の除去片と下方の残存片とに分けられると共に残存片の一部は正面シートに固定され、特定前縁は、除去片の左側縁に対応する位置に配置されるものである。
【００２１】
このように構成すると、除去片の左側縁と特定前縁との間にスペースが確保される。又、除去片の接着固定等が不要になる。
【００２２】
この発明の第６の局面における収容箱は、第２の局面から第５の局面のいずれかにおける発明の構成において、収容箱を左右反転して構成されるものである。
【００２３】
このように構成すると、除去部分の右側縁が掴み易くなる。
【００２４】
以上説明したように、この発明の第１の局面における収容箱は、除去部分の一方側縁の少なくとも一部と一方側縁部の前縁との間にスペースが確保されるため、除去部分の一方側縁に指を押し付けやすくなり、除去部分の掴みが容易となる。
【００２５】
この発明の第２の局面における収容箱は、除去部分の左側縁の少なくとも一部と特定前縁との間にスペースが確保されるため、除去部分の左側縁に指を押し付けやすくなり、除去部分の掴みが容易となる。
【００２６】
この発明の第３の局面における収容箱は、第２の局面における発明の効果に加えて、接続部における左側面上方折り曲げシートの接続強度が確保されるため、組立強度が向上する。
【００２７】
この発明の第４の局面における収容箱は、第３の局面における発明の効果に加えて、除去部分の左側縁と特定前縁との距離が安定するため、除去部分の掴みが安定する。
【００２８】
この発明の第５の局面における収容箱は、第２の局面から第４の局面のいずれかにおける発明の効果に加えて、除去片の左側縁と特定前縁との間にスペースが確保されるため、除去片の左側縁に指を押し付けやすくなり、除去片の掴みが容易となる。又、除去片の接着固定等が不要になるため、除去片の分離が容易となる。
【００２９】
この発明の第６の局面における収容箱は、第２の局面から第５の局面のいずれかにおける発明の効果に加えて、除去部分の右側縁が掴み易くなるため、使用勝手が向上する。
【図面の簡単な説明】
【００３０】
【図１】この発明の第１の実施の形態による収容箱の外観形状を示す概略斜視図である。
【図２】図１で示した収容箱の表面から見た展開図である。
【図３】図１で示した収容箱の左部分拡大斜視図である。
【図４】図３で示したＩＶ−ＩＶラインの拡大端面図である。
【図５】この発明の第２の実施の形態による収容箱の左部分拡大斜視図であって、図３に対応する図である。
【図６】この発明の第３の実施の形態による収容箱の外観形状を示す概略斜視図であって、図１に対応する図である。
【図７】従来の包装箱の外観形状を示す概略斜視図である。
【図８】図７で示した包装箱の展開図である。
【図９】図７で示した包装箱の開封工程を示す概略斜視図である。
【図１０】図７で示した包装箱の使用状態を示す概略斜視図である。
【図１１】図７で示した包装箱の左部分拡大斜視図である。
【図１２】図１１で示したＸＩＩ−ＸＩＩラインの拡大端面図である。
【発明を実施するための形態】
【００３１】
図１は、この発明の第１の実施の形態による収容箱の外観形状を示す概略斜視図であり、図２は、図１で示した収容箱の表面から見た展開図である。
【００３２】
これらの図を参照して、収容箱１０は、所定形状に展開された紙ブランク等からなるシート体１１を、図１において矢印の方向から見た面を正面とした、正面部１２、背面部１３、平面部１４、底面部１５、右側面部１６及び左側面部１７からなる直方体形状に折り曲げて形成されるものである。
【００３３】
その具体的な構成については、後述するミシン目４１及び除去部分２７に係る部分以外は左右反転の構成であるため、収容箱１０の左部分についてのみ説明する。
【００３４】
まず、シート体１１は、収容箱１０の正面部１２を覆う正面シート２２を備えている。又、展開時には、正面シート２２の左側縁４２に折り曲げ自在に接続されると共に、組み立て時には、左側面部１７の前方から３分の１程度を覆うように、正面シート２２に対して後方に折り曲げられる左側面後方折り曲げシート３２を備えている。
【００３５】
更に、展開時には、正面シート２２の下縁５２に折り曲げ自在に接続されると共に、組み立て時には、底面部１５を覆うように折り曲げられる底面シート２５を備えている。更に、展開時には、底面シート２５の左側縁４５に折り曲げ自在に接続されると共に、組み立て時には、左側面部１７のほぼ全面を覆うように底面シート２５に対して上方に折り曲げられ、左側面後方折り曲げシート３２の外面に接着剤等で固定される左側面上方折り曲げシート３５を備えている。尚、左側面上方折り曲げシート３５は、左側面上方折り曲げシート３５の前縁４８に沿って半長円形の切欠き３８が形成されている点で、従来の包装箱９０の側面板１１５とは異なっている。この切欠き３８を設けた効果については後述する。
【００３６】
更に、シート体１１は、展開時には、底面シート２５の後縁５５に折り曲げ自在に接続されると共に、組み立て時には、背面部１３を覆うように折り曲げられる背面シート２３を備えている。更に、展開時には、背面シート２３の左側縁４３に折り曲げ自在に接続されると共に、組み立て時には、左側面部１７の後方からほぼ全面を覆うように背面シート２３に対して前方に折り曲げられ、左側面上方折り曲げシート３５の内面に接着剤等で固定される左側面前方折り曲げシート３３を備えている。
【００３７】
更に、展開時には、背面シート２３の上縁５３に折り曲げ自在に接続されると共に、組み立て時には、平面部１４を覆うように折り曲げられる平面シート２４を備えている。更に、展開時には、平面シート２４の前縁５４に折り曲げ自在に接続されると共に、組み立て時には、正面シート２２の全面を覆うように下方に折り曲げられる正面下方折り曲げシート２８を備えている。更に、展開時には、平面シート２４の左側縁４４に折り曲げ自在に接続されると共に、組み立て時には、左側面上方折り曲げシート３５の外面の上半分程度を覆うように下方に折り曲げられる左側面下方折り曲げシート３４を備えている。
【００３８】
ここで、正面下方折り曲げシート２８は、平面シート２４の前縁５４に平行に形成された切断自在のミシン目４１を境界として、上方約５分の２を占める残存部分２６と、下方約５分の３を占める除去部分２７とに分けられている。組み立て時において、除去部分２７の一部は、収容箱１０が輸送時等に不用意に開かないようにするために、正面シート２２の下部の一部に接着剤で固定されている。尚、この接着力は手で除去部分２７を切り離せる程度の強さとなっている。又、正面下方折り曲げシート２８については、この実施の形態にあっては、除去部分２７が左から右に切り取ることを想定した構造をしているため、図示はしていないが、ミシン目４１の形状は除去部分２７の右方向への切り取りが容易な形状となっている。
【００３９】
更に、残存部分２６は、展開時には、残存部分の２６の左側縁４６に折り曲げ自在に接続されると共に、組み立て時には、左側面下方折り曲げシート３４のほぼ全面を覆うように残存部分２６に対して後方に折り曲げられる第２の左側面後方折り曲げシート３６を備えている。第２の左側面後方折り曲げシート３６は、左側面下方折り曲げシート３４の内側に接着剤等で固定されている。更に、残存部分２６の内側には、金属や紙等でできた長手方向に延びる切断刃４０が、残存部分２６の先端から切断刃４０の先端が突出するように取り付けられている。残存部分２６の内側に取り付けられた切断刃４０の先端は、未開封の状態では、除去部分２７によって覆われている。
【００４０】
図３は、図１で示した収容箱の左部分拡大斜視図であり、図４は、図３で示したＩＶ−ＩＶラインの拡大端面図である。
【００４１】
図３を参照して、図２の展開図から明らかなように、除去部分２７の左側縁４７は正面シート２２の左側縁４２に重なるように配置される。又、左側面上方折り曲げシート３５の前縁４８は、底面シート２５との接続部５６において、正面シート２２の左側縁４２に整列すると共に、その上方には半長円形の切欠き３８が形成され特定前縁５８を構成する。そのため、特定前縁５８は、正面シート２２の左側縁４２の位置から後方に離れている。
【００４２】
更に、特定前縁５８は、左側面下方折り曲げシート３４から少なくとも一部が露出していると共に、除去部分２７の左側縁４７の一部に対応する位置の少なくとも一部に配置される。
【００４３】
次に、図４を併せて参照して、収容箱１０の開封に際しては、従来の包装箱９０と同様に、除去部分２７の左側縁４７を掴んで、ミシン目４１に沿って除去部分２７を接着固定に抗して切り離すことになる。その際に、特定前縁５８は、正面シート２２の左側縁４２の位置から後方に離れているため、除去部分２７の左側縁４７の一部と特定前縁５８との間にスペース５９が確保される。そのため、スペース５９に指をあてがうことで、除去部分２７の左側縁４７に指を押し付けやすくなり、除去部分２７の掴みが容易となる。
【００４４】
又、特定前縁５８を半長円形の切欠き３８とすることで、正面シート２２の左側縁４２の位置から後方に離れる距離がほぼ一定となる。したがって、除去部分２７の左側縁４７と特定前縁５８との距離が安定するため、除去部分２７の掴み易さが安定する。
【００４５】
更に、特定前縁５８の下方に位置する左側面上方折り曲げシート３５の前縁４８は、底面シート２５との接続部５６において、正面シート２２の左側縁４２に整列した構成としたことで、接続部５６における左側面上方折り曲げシート３５の接続強度が確保されるため、収容箱１０の組立強度が向上する。
【００４６】
尚、このように構成した収容箱１０には、図示しないアルミホイル等からなるシートを巻きとった巻回物を収容することができる。
【００４７】
又、使用に際しては従来の包装用箱９０と同様に、掴み易くなった収容箱１０の除去部分２７の左側縁４７を掴んで、ミシン目４１に沿って除去部分２７を接着固定に抗して切り離す。すると、収容箱１０が開封されると共に、切断刃４０の先端が露出する。次に、平面シート２４を背面シート２３の上縁５３を軸に背面部１３の方向に回動して収容箱１０を開く。すると、収容箱１０の内側に収容されている巻回物が露出するので、巻回物からシートを所望の長さ引き出す。その後、平面シート２４を元の平面部１４の位置に戻した上で押し下げることで、残存部分２６がそれに伴って下がり、所望の長さに引き出したシートに切断刃４０の先端を当てることで切断が可能となる。
【００４８】
このように除去部分２７を設けることで、従来の包装箱９０と同様に、開封直前まで切断刃４０を露出させずにおくことができると共に、又、除去部分２７を切り離すことで、容易に収容箱１０を開封することができる。
【００４９】
図５は、この発明の第２の実施の形態による収容箱の左部分拡大斜視図であって、図３に対応する図である。
【００５０】
この第２の実施の形態では、収容箱１０の特定前縁６８に係る構成以外は、基本的に第１の実施の形態のものと同一であるため、ここでの説明は繰り返さず、その相違点を中心に説明する。
【００５１】
図を参照して、収容箱１０の左側面上方折り曲げシート３５の前縁４８は、底面シート２５との接続部６６において、正面シート２２の左側縁４２の下端と除去部分２７の左端４７の下端とほぼ隣接している。そして、左側面上方折り曲げシート３５の前縁４８であって左側面下方折り曲げシート３４から少なくとも一部が露出している特定前縁６８は、底面シート２５との接続部６６を基点として、斜め後方上方に向かう直線で切り取られることにより形成されている。これにより、特定前縁６８は、上方に向かうにつれて正面シート２２の左側縁４２の位置から後方に離れる。又、特定前縁６８は、左側面下方折り曲げシート３４から少なくとも一部が露出している。
【００５２】
次に、収容箱１０の開封に際しては、第１の実施の形態と同様に、除去部分２７の左側縁４７を掴んで、ミシン目４１に沿って除去部分２７を接着固定に抗して切り離すことになる。その際に、特定前縁６８は、正面シート２２の左側縁４２の位置から後方に離れているため、除去部分２７の左側縁４７の一部と特定前縁６８との間にスペース６９が確保される。そのため、スペース６９に指をあてがうことで、除去部分２７の左側縁４７に指を押し付けやすくなり、除去部分２７の掴みが容易となる。
【００５３】
尚、その後の使用に関し、収容箱１０に収容したアルミホイル等のシートを切断する工程については、第１の実施の形態と同様である。
【００５４】
図６は、この発明の第３の実施の形態による収容箱の外観形状を示す概略斜視図であって、図１に対応する図である。
【００５５】
この第３の実施の形態では、除去部分２７及び特定前縁７８に係る構成以外は、基本的に第１の実施の形態と同一であるため、ここでの説明は繰り返さず、その相違点を中心に説明する。
【００５６】
図を参照して、収容箱１０の正面下方折り曲げシート２８の除去部分２７には、ミシン目４１に対して平行な切断自在の第２のミシン目７１が設けられている。この第２のミシン目７１を境にして、除去部分２７は、上方約半分を占める除去片７６と下方約半分を占める残存片７７とに分けられている。
【００５７】
又、組み立て時において、残存片７７は、収容箱１０が輸送時等に不用意に開かないようにするために、正面シート２２の下部の一部に接着剤等で固定されている。これにより、除去片７６は、残存部分２６と残存片７７とに挟まれると共に、正面シート２２とは固定されていない帯状の構成となっている。
【００５８】
更に、正面下方折り曲げシート２８については、この実施の形態にあっては、除去片７６が左から右に切り取ることを想定した構造をしているため、図示はしていないが、ミシン目４１と同様に、第２のミシン目７１の形状は右方向への切り取りが容易な形状となっている。
【００５９】
更に、左側面上方折り曲げシート３５の前縁４８は、底面シート２５との接続部５６において、正面シート２２の左側縁４２に整列する。更に、左側面上方折り曲げシート３５の前縁４８には、除去片７６の左側縁７３に対応する位置に半長円形に切り欠かれた特定前縁７８が配置されている。
【００６０】
更に、特定前縁７８は、左側面下方折り曲げシート３４から少なくとも一部が露出している。
【００６１】
次に、収容箱１０の開封に際しては、第１の実施の形態と同様に、除去片７６の左側縁７３を掴んで、ミシン目４１及び第２のミシン目７１に沿って除去片７６を切り離すことになる。その際に、特定前縁７８は、正面シート２２の左側縁４２の位置から後方に離れているため、除去片７６の左側縁７３と特定前縁７８との間にスペース７９が確保される。そのため、スペース７９に指をあてがうことで、除去片７６の左側縁７３に指を押し付けやすくなり、除去片７６の掴みが容易となる。
【００６２】
又、上述したように、除去片７６は残存部分２６と残存片７７とに挟まれており、組み立て時には、残存片７７が正面シート２２の下方の一部に接着固定される構成であるので、除去片７６については接着固定等が不要となる。そのため、収容箱１０の開封の際には、除去片７６を接着固定に抗することなく切り離すことが可能となり、除去片７６の分離が容易となる。
【００６３】
更に、特定前縁７８を半長円形の切欠きとすることで、正面シート２２の左側縁４２の位置から後方に離れる距離がほぼ一定となる。したがって、除去片７６の左側縁７３と特定前縁７８との距離が安定するため、除去片７６の掴み易さが安定する。
【００６４】
更に、特定前縁７８の下方に位置する左側面上方折り曲げシート３５の前縁４８は、底面シート２５との接続部５６において、正面シート２２の左側縁４２に整列した構成としたことで、接続部５６における左側面上方折り曲げシート３５の接続強度が確保されるため、収容箱１０の組立強度が向上する。
【００６５】
尚、その後の使用に関し、収容箱１０に収容したアルミホイル等のシートを切断する工程については、第１の実施の形態と同様である。
【００６６】
尚、上記の各実施の形態では、収容箱の左側に特定前縁が設けられる構成であったが、収容箱全体の構成を左右反転させて特定前縁を右側に設ける構成であってもよい。その場合、除去部分又は除去片については、右から左に切り取れるように構成すればよい。
【００６７】
又、上記の各実施の形態では、特定前縁や除去部分又は除去片の構成により、収容箱全体は左右非対称の構成であったが、左右対称に構成してもよい。その場合、特定前縁は左右両方に配置されると共に、除去部分又は除去片は左右両側から切り離し可能なように構成すればよい。
【００６８】
更に、上記の各実施の形態では、収容箱はアルミホイル等のシート体からなる巻回物を収容するためのものであったが、これに限らず、他の物を収容するための一般的な収容箱としてもよい。その場合、収容するものによっては切断刃を設けないように構成してもよい。
【００６９】
更に、上記の各実施の形態では、特定前縁の形状は半長円形に切り欠かれたり、直線で切り取られて構成されるものであり、特定前縁の範囲は、左側面下方折り曲げシートから特定前縁の一部が露出するような位置に設定されるものであったが、これに限らず、特定前縁の形状及び範囲は少なくとも除去部分又は除去片に対応する露出位置に配置されるものであれば、他の形状及び範囲であってもよい。
【００７０】
更に、上記の第１及び第３の実施の形態では、特定前縁を形成する切欠きは半長円形であったが、これに限らず、長方形等の他の形状であってもよい。
【００７１】
更に、上記の第２の実施の形態では、特定前縁は直線によって切り取られる構成であったが、これに限らず、波線等の他の種類の線によって切り取られるものであってもよい。
【００７２】
更に、上記の各実施の形態では、左側面下方折り曲げシートと正面下方折り曲げシートの残存部分とは、第２の左側面後方折り曲げシートを介して固定される構成であったが、これに限らず、別の固定手段によるものであってもよい。
【００７３】
更に、上記の各実施の形態では、左側面後方折り曲げシートと左側面前方折り曲げシートがその一部で互いに重なるような長さに設定されていたが、これに限らず、少なくとも左側面上方折り曲げシートの内側に固定されていれば、互いに重ならない長さに設定してもよい。
【００７４】
更に、上記の各実施の形態では、左側面上方折り曲げシートの前縁は底面シートとの接続部において正面シートの左側縁に整列する、もしくは、ほぼ隣接する構成であったが、これに限らず、接続部においても正面シートから後方に離れる構成としてもよい。
【００７５】
更に、上記の各実施の形態では、収容箱は紙ブランクからなる構成であったが、これに限らず、一定の保形性があり折り曲げ可能なものなら、それ以外の素材であってもよい。例えば、ポリスチレンやポリプロピレン等の合成樹脂を引き延ばしたシート体から構成してもよい。
【００７６】
更に、上記の各実施の形態では、収容箱は接着剤で固定される構成であったが、これに限らず、他の方法で固定してもよい。
【００７７】
更に、上記の各実施の形態では、収容箱は直方体形状のものの隣接する２面において、除去部分又は除去片に対応する位置の少なくとも一部に特定前縁が設けられる構成であったが、これに限らず、他の多面体であっても、隣接する２面において本願発明を同様に適用できる。
【００７８】
更に、上記の各実施の形態では、収容箱は特定のシート体を折り曲げて形成されるものであったが、他の方法で形成されるものであってもよい。
【００７９】
更に、上記の各実施の形態では、残存部分と除去部分とを分ける境界が特定のミシン目であったが、一方方向（左方）から他方方向（右方）にかけて切断自在な切り取り線であればよい。
【００８０】
したがって、上記の各実施の形態による収容箱は、観点を変えれば、以下のような構成として説明できる。
【００８１】
即ち、この発明の第１の局面における収容箱１０は、所定形状に展開されたシート体１１を、正面部１２、背面部１３、平面部１４、底面部１５、一方側面部（左側面部１７）及び他方側面部（右側面部１６）からなる直方体形状に折り曲げて形成される収容箱１０であって、正面部１２は、一方方向から他方方向にかけて切断自在の切り取り線（ミシン目４１）を境界として残存部分２６と除去部分２７とに分けられ、除去部分２７は、切り取り線（ミシン目４１）を切断することによって除去することができ、除去部分２７の一方側縁（左側縁４７）の少なくとも一部は正面部１２の一方側縁（左側縁４２）に重なるように配置され、一方側面部（左側面部１７）の前縁４８は、除去部分２７の一方側縁（左側縁４７）の一部に対応する位置の少なくとも一部（特定前縁５８）において、正面部１２の一方側縁（左側縁４２）の位置から後方に離れて配置されるものである。
【００８２】
このように構成すると、除去部分の一方側縁の少なくとも一部と一方側縁部の前縁との間にスペースが確保されるため、除去部分の一方側縁に指を押し付けやすくなり、除去部分の掴みが容易となる。
【産業上の利用可能性】
【００８３】
以上のように、本発明に係る収容箱は、例えば、アルミホイル等のシート体を巻き取った巻回物等を収容するのに適している。
【図１】
2018168893.tif 000003
【図２】
2018168893.tif 000004
【図３】
2018168893.tif 000005
【図４】
2018168893.tif 000006
【図５】
2018168893.tif 000007
【図６】
2018168893.tif 000008
【図７】
2018168893.tif 000009
【図８】
2018168893.tif 000010
【図９】
2018168893.tif 000011
【図１０】
2018168893.tif 000012
【図１１】
2018168893.tif 000013
【図１２】
2018168893.tif 000014
【国際調査報告】
2018168893.tif 000015
2018168893.tif 000016
2018168893.tif 000017
2018168893.tif 000018